【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】  コンピュータデバイスコンテキストに基づきコンテキスト認識型アプリケーションと対話するモバイルコンピュータデバイスであって、前記コンピュータデバイスが１つの第１階層ツリー構造および少なくとも１つの第２階層ツリー構造にアクセス及びトラバースすることによりそのコンテキストを判定するように構成され、前記第１階層ツリー構造が世界の物理的階層表現であるマスター世界を定義し、前記第２階層ツリー構造が個別のエンティティ世界ビューの論理表現である２次世界を定義することを特徴とするコンピュータデバイスにおいて、
前記第１階層ツリー構造にアクセスする手段であって、前記第１ツリー構造が複数のノードと、ルートノードとを具備し、前記ノードが地上の地理的区分を一意に表現し、それぞれのノードが単一のエンティティＩＤにより識別されることを特徴とする前記第１階層ツリー構造にアクセスする手段と、
前記コンピュータデバイスの現在の位置に対応する第１ツリー構造内の１つのノードを判定することにより前記コンピュータデバイスの特定の位置を判定する手段と、
前記コンピュータデバイスの前記現在の位置に対応する前記１つのノードから前記第１ツリー構造をトラバースすることにより前記判定された特定の位置に基づき、前記第１ツリー構造内で前記コンピュータデバイスの位置コンテキストを判定する手段であって、それにより前記トラバースされたノードに関連付けられたコンテキスト情報を収集し、前記コンピュータデバイス内で前記収集された情報をキャッシュすることを特徴とする前記コンピュータデバイスの位置コンテキストを判定する手段と、
前記判定された位置コンテキストに基づき、前記少なくとも１つの第２階層ツリー構造にアクセスする手段であって、前記第２ツリー構造は前記２次世界において前記マスター世界の前記判定された位置コンテキストの前記ノードのエンティティＩＤと一致する前記エンティティＩＤを有することにより前記マスター世界の前記判定された位置コンテキストのノードとリンクされる少なくも１つのノードを備え、前記第２ツリー構造は複数のノードとルートノードとを具備することを特徴とする前記第２階層ツリー構造にアクセスする手段と、
前記第２ツリー構造の前記マスター世界の前記判定された位置コンテキストのノードとリンクされる前記現在のノードから前記第２ツリー構造をトラバースすることにより前記第２ツリー構造から前記コンピュータデバイスのコンテキストを判定する手段であって、前記第２ツリー構造上でトラバースすることは、前記モバイルコンピュータデバイスを前記２次世界のアクティブな参加者にさせることであることを特徴とする前記コンピュータデバイスのコンテキストを判定する手段と、
前記第１ツリー構造及び前記第２ツリー構造から判定された前記コンテキストに基づき１つまたは複数のコンテキスト認識型アプリケーションと対話する手段と
を備えることを特徴とするコンピュータデバイス。
【請求項２】  １つまたは複数のコンピュータ可読媒体をさらに備え、前記第１階層ツリー構造は、前記媒体に常駐することを特徴とする請求項１に記載のコンピュータデバイス。
【請求項３】  前記コンピュータデバイスは、１つまたは複数のネットワークを介して１つまたは複数のコンピュータ可読媒体にアクセスするように構成され、前記第１階層ツリー構造は、前記媒体に常駐することを特徴とする請求項１に記載のコンピュータデバイス。
【請求項４】  前記第１階層ツリー構造の前記ノードは、政治的または自然のエンティティを具備することを特徴とする請求項１乃至３のいずれか１項に記載のコンピュータデバイス。
【請求項５】  前記政治的または自然のエンティティは、大陸、国、海洋、州、群、市のいずれか１つまたは複数を含むことを特徴とする請求項４に記載のコンピュータデバイス。
【請求項６】  前記第１階層ツリー構造の前記ノードは、郵便番号、地域コード、時間帯のいずれか１つまたは複数を含むインフラストラクチャのエンティティを具備することを特徴とする請求項１乃至３のいずれか１項に記載のコンピュータデバイス。
【請求項７】  前記第１階層ツリー構造の前記ノードは、公共の場所を具備することを特徴とする請求項１乃至３のいずれか１項に記載のコンピュータデバイス。
【請求項８】  前記第１階層ツリー構造の前記ノードは、軍事郵便の番号地域、行楽地域、テレビジョンネットワークの加入受信範囲地域のいずれか１つまたは複数を含む非物理的なエンティティを具備することを特徴とする請求項１乃至３のいずれか１項に記載のコンピュータデバイス。
【請求項９】  前記第１階層ツリー構造の前記ノードは複数の属性を具備し、そのうちの１つは前記ノードに固有の固有エンティティ識別（ＥＩＤ）を含むことを特徴とする請求項１乃至８のいずれか１項に記載のコンピュータデバイス。
【請求項１０】  前記属性の１つは、名前属性を含むことを特徴とする請求項９に記載のコンピュータデバイス。
【請求項１１】  前記名前属性は、中立的なグラウンドトゥルース名により定義されることを特徴とする請求項１０に記載のコンピュータデバイス。
【請求項１２】  前記属性の１つは、地理的エンティティクラス属性を含むことを特徴とする請求項９乃至１１のいずれか１項に記載のコンピュータデバイス。
【請求項１３】  前記属性の１つは、緯度／経度の属性を含むことを特徴とする請求項９乃至１２のいずれか１項に記載のコンピュータデバイス。
【請求項１４】  前記属性の１つは、相対的な重要度の属性を含むことを特徴とする請求項９乃至１３のいずれか１項に記載のコンピュータデバイス。
【請求項１５】  前記属性の１つは、コンテキスト上の親の属性を含むことを特徴とする請求項９乃至１４のいずれか１項に記載のコンピュータデバイス。
【請求項１６】  前記属性の１つは、ソースの属性を含むことを特徴とする請求項９乃至１５のいずれか１項に記載のコンピュータデバイス。
【請求項１７】  前記属性の１つは、開始／終了日の属性を含むことを特徴とする請求項９乃至１６のいずれか１項に記載のコンピュータデバイス。
【請求項１８】  前記属性の１つは、修正日の属性を含むことを特徴とする請求項９乃至１７のいずれか１項に記載のコンピュータデバイス。
【請求項１９】  前記属性の１つは、ステータスの属性を含むことを特徴とする請求項９乃至１８のいずれか１項に記載のコンピュータデバイス。
【請求項２０】  前記コンピュータデバイスは、モバイルコンピュータデバイスであることを特徴とする請求項２に記載のコンピュータデバイス。
【請求項２１】  前記コンピュータデバイスは、ハンドヘルド型のコンピュータデバイスであることを特徴とする請求項２に記載のコンピュータデバイス。
【請求項２２】  前記第１階層ツリー構造が第１コンテキストに関連付けられ、
前記第２階層ツリー構造が第２コンテキストに関連付けられることを特徴とする請求項２に記載のコンピュータデバイス。
【請求項２３】  前記第２コンテキストは、位置コンテキストを含むことを特徴とする請求項２２に記載のコンピュータデバイス。
【請求項２４】  前記第２階層ツリー構造の前記ノードは、企業、その部門、地域、キャンパス、建物、様々な建物のフロア、様々なフロアにある部屋のいずれか１つまたは複数を含む物理的および／または論理的エンティティを具備することを特徴とする請求項２２または２３に記載のコンピュータデバイス。
【請求項２５】  前記第１階層ツリー構造および前記第２階層ツリー構造は、複数の属性を具備し、そのうちの２つは、
ノードに固有の識別と、
前記ノードが関連付けられた前記ツリーに関連する情報であって、前記情報がユニバーサルリソースロケータ（ＵＲＬ）を含むことを特徴とする前記情報と
を含むことを特徴とする請求項２２乃至２４のいずれか１項に記載のコンピュータデバイス。
【請求項２６】  前記第２階層ツリー構造の１つまたは複数の前記ノードと関連付けられた１つまたは複数の商品またはサービスをさらに備えることを特徴とする請求項２２に記載のコンピュータデバイス。
【請求項２７】  前記第１階層ツリー構造は、標準化された地球のビューを具備し、前記第２階層ツリー構造は、地球の少なくとも一部の組織固有のビューを具備し、前記組織固有のビューは、地球の特定部分にリンクする物理的／論理的エンティティを含むことを特徴とする請求項２２乃至２６のいずれか１項に記載のコンピュータデバイス。
【請求項２８】  前記組織固有のビューは、組織の外側のコンテキストを有さないことを特徴とする請求項２７に記載のコンピュータデバイス。
【請求項２９】  前記コンピュータデバイスは、デスクトップデバイスであることを特徴とする請求項２２乃至２８のいずれか１項に記載のコンピュータデバイス。
【請求項３０】  コンピュータデバイスのコンテキストに基づきコンテキスト認識型のアプリケーションと対話するコンピュータにより実施される方法であって、前記コンピュータデバイスが１つの第１階層ツリー構造および少なくとも１つの第２階層ツリー構造にアクセス及びトラバースすることによりそのコンテキストを自立して判定するように構成され、前記第１階層ツリー構造が世界の物理的階層表現であるマスター世界を定義し、前記第２階層ツリー構造が個別のエンティティ世界ビューの論理表現である２次世界を定義することを特徴とするコンピュータにより実施される方法において、
コンピュータデバイスにより前記第１階層ツリー構造にアクセスする段階であって、前記第１ツリー構造が複数のノードと、ルートノードとを具備し、前記ノードが地上の地理的区分を一意に表現し、それぞれのノードが単一のエンティティＩＤにより識別されることを特徴とする前記第１階層ツリー構造にアクセスする段階と、
前記コンピュータデバイスの現在の位置に対応する第１ツリー構造内の１つのノードを判定することにより前記コンピュータデバイスの特定の位置を判定する段階と、
前記コンピュータデバイスの前記現在の位置に対応する前記１つのノードから前記第１ツリー構造をトラバースすることにより前記判定された特定の位置に基づき、前記第１ツリー構造内で前記コンピュータデバイスの位置コンテキストを判定する手段であって、それにより前記トラバースされたノードに関連付けられたコンテキスト情報を収集し、前記コンピュータデバイス内で前記収集された情報をキャッシュすることを特徴とする前記コンピュータデバイスの位置コンテキストを判定する段階と、
前記判定された位置コンテキストに基づき、前記少なくとも１つの第２階層ツリー構造にアクセスする段階であって、前記第２ツリー構造は前記２次世界において前記マスター世界の前記判定された位置コンテキストの前記ノードのエンティティＩＤと一致する前記エンティティＩＤを属性として有することにより前記マスター世界の前記判定された位置コンテキストのノードとリンクされる少なくとも１つのノードを備え、前記第２ツリー構造は複数のノードとルートノードとを具備することを特徴とする前記第２階層ツリー構造にアクセスする段階と、
前記第２ツリー構造の前記ルートノードへの前記マスター世界の前記判定された位置コンテキストのノードとリンクされる前記現在のノードから前記第２ツリー構造をトラバースすることにより前記第２ツリー構造から前記コンピュータデバイスのコンテキストを判定する段階であって、前記第２ツリー構造上でトラバースすることは、前記モバイルコンピュータデバイスを前記２次世界のアクティブな参加者にさせることであることを特徴とする前記コンピュータデバイスのコンテキストを判定する段階と、
前記第１ツリー構造及び前記第２ツリー構造から判定された前記コンテキストに基づき１つまたは複数のコンテキスト認識型アプリケーションと対話する段階と
を備えることを特徴とするコンピュータにより実施される方法。
【請求項３１】  前記第１階層ツリー構造と１つまたは複数の第２階層ツリー構造が１つまたは複数のコンピュータ可読媒体に常駐され、
前記第１階層ツリー構造が第１コンテキストと関連付けられ、前記１つまたは複数の第２階層ツリー構造が第２コンテキストと関連付けられ、
前記方法は、コンテキストを得るために、少なくとも１つの前記ツリー構造の複数のノードをトラバースする段階をさらに備えることを特徴とする請求項３０に記載のコンピュータにより実施される方法。
【請求項３２】  前記トラバースする段階が位置コンテキストを得ることを特徴とする請求項３１に記載のコンピュータにより実施される方法。
【請求項３３】  前記第２階層ツリー構造の前記ノードは、物理的および／または論理的エンティティを具備することを特徴とする請求項３０乃至３２のいずれか１項に記載のコンピュータにより実施される方法。
【請求項３４】  前記トラバースする段階は、前記コンテキストを得るためにそれぞれのツリー上の少なくとも１つをトラバースすることを具備することを特徴とする請求項３１または３２のいずれか１項に記載のコンピュータにより実施される方法。
【請求項３５】  前記第１階層ツリー構造および前記１つまたは複数の第２階層ツリー構造は、リンクされた少なくとも１つのノードの対を具備することを特徴とする請求項３０乃至３４のいずれか１項に記載のコンピュータにより実施される方法。
【請求項３６】  前記１つまたは複数の第２の階層ツリー構造の前記ノードの少なくとも１つはそれに関連付けられた商品またはサービスを有し、前記トラバースする段階はノードに関連づけられた商品またはサービスを見つけて、前記商品またはサービスを消費することを具備することを特徴とする請求項３１に記載のコンピュータにより実施される方法。
【請求項３７】  前記第１階層ツリー構造および前記第２階層ツリー構造にアクセスする段階は、コンピュータデバイス上でローカルに利用できるツリー構造にアクセスすることを具備することを特徴とする請求項３０乃至３６のいずれか１項に記載のコンピュータにより実施される方法。
【請求項３８】  前記第１階層ツリー構造および前記第２階層ツリー構造にアクセスする段階は、ネットワーク媒体を介して、前記ツリーの少なくとも１つにアクセスすることを具備することを特徴とする請求項３０乃至３６のいずれか１項に記載のコンピュータにより実施される方法。
【請求項３９】  前記第１階層ツリー構造および前記第２階層ツリー構造にアクセスする段階は、インターネットを介して、前記ツリーの少なくとも１つにアクセスすることを具備することを特徴とする請求項３０乃至３６のいずれか１項に記載のコンピュータにより実施される方法。
【請求項４０】  それぞれが物理的または論理的エンティティを定義できる複数のノードを具備する階層ツリー構造を定義する段階と、
１つまたは複数の商品またはサービスを前記ノードの１つまたは複数と関連付ける段階と、
商品またはサービスを発見するために、前記複数のノードの１つまたは複数をトラバースする段階と
をさらに備えることを特徴とする請求項３０に記載のコンピュータにより実施される方法。
【請求項４１】  前記複数のノードの１つまたは複数を、それぞれが地球の地理的区分を表す複数のノードを含む別の階層ツリー構造にリンクすることをさらに備えることを特徴とする請求項４０に記載のコンピュータにより実施される方法。
【請求項４２】  物理的および／または論理的エンティティに関連する情報を指定するソースから入力を受信する段階と、
前記情報を処理してコンテキストを有する階層ツリー構造を定義する段階であって、前記ツリー構造は、それぞれが個別の物理的または論理的エンティティを表す複数のノードを含む段階と、
コンテキストと、物理的および／または論理的エンティティを表す複数のノードとを有する別のツリー構造のノードに、前記複数ノードの少なくとも１つをリンクする段階とを備え、
前記ツリー構造は、前記ノードの１つまたは複数からコンテキストを得ることを可能にするような方式でトラバースのために構成されることを特徴とする請求項３０に記載のコンピュータにより実施される方法。
【請求項４３】  前記得られたコンテキストは、位置コンテキストを具備することを特徴とする請求項４２に記載のコンピュータにより実施される方法。
【請求項４４】  コンピュータデバイス実行時に、請求項３０に記載の方法の段階を実施するように構成されるコンピュータ可読命令が記憶されたことを特徴とするコンピュータ可読媒体。
【請求項４５】  前記第１階層ツリー構造の前記ノードが第１位置コンテキストと関連付けられ、前記第２階層ツリー構造の前記ノードが第２位置コンテキストと関連付けられ、前記第２階層ツリー構造の少なくとも１つのノードは前記第１階層ツリー構造のノードとリンクされ、
前記命令は、位置コンテキストを得るためにそれぞれのツリー構造の少なくとも１つのノードのトラバースを実施するようにさらに構成され、前記第２階層ツリー構造のルートノードに通じるトラバース経路中の少なくとも１つのノードは、前記第１階層ツリー構造のノードとリンクされることを特徴とする請求項４４に記載のコンピュータ可読媒体。
【請求項４６】  前記コンピュータデバイスは、自動的にその位置コンテキストを判定することを特徴とする請求項４５に記載のコンピュータ可読媒体。
【請求項４７】  前記コンピュータデバイスは、ハンドヘルド型のコンピュータデバイスであることを特徴とする請求項４４に記載のコンピュータ可読媒体。
【請求項４８】  前記コンピュータデバイスは、モバイルコンピュータデバイスであることを特徴とする請求項４４に記載のコンピュータ可読媒体。
【請求項４９】  前記コンピュータデバイスは、デスクトップデバイスであることを特徴とする請求項４４に記載のコンピュータ可読媒体。
【請求項５０】  前記コンピュータデバイスは、自動的にその位置コンテキストを判定することを特徴とするハンドヘルド型のコンピュータデバイスであることを特徴とする請求項４４に記載のコンピュータ可読媒体。
【請求項５１】  前記命令は、それぞれが物理的または論理的エンティティを定義できる複数のノードを具備する階層ツリー構造を定義する段階と、
１つまたは複数の商品またはサービスを前記ノードの１つまたは複数と関連付ける段階と、
商品またはサービスを発見するために、前記複数のノードの１つまたは複数をトラバースする段階とを実施するようにさらに構成されることを特徴とする請求項４４に記載のコンピュータ可読媒体。
【請求項５２】  前記命令は、請求項４２に記載の方法の段階を実施するようにさらに構成されることを特徴とする請求項４４に記載のコンピュータ可読媒体。
【請求項５３】  コンテキストを判定するシステムであって、
１つまたは複数のコンピュータ可読媒体と、
第１コンテキストと関連付けられた複数のノードを有する第１階層ツリー構造であって、前記第１階層ツリー構造が前記１つまたは複数のコンピュータ可読媒体に存在する前記第１階層ツリー構造と、
第２コンテキストと関連付けられた複数のノードを有する少なくとも１つの第２階層ツリー構造であって、前記第２階層ツリー構造が前記１つまたは複数のコンピュータ可読媒体に存在する前記第２階層ツリー構造と、
前記第１コンテキストおよび前記第２コンテキストから完全なコンテキストが得られるように構成されるリンクにより前記第１階層ツリー構造上の１つのノードにリンクされる前記少なくとも１つの階層ツリー構造からの少なくとも１つのノードであって、個別のノードが商品またはサービスに割り当てられることを可能とするその属性により基礎として提供できる固有のＩＤを有することを特徴とする前記ノードとを備え、
前記複数のノードが親ノードと子ノードを含み、前記親ノードの少なくともいくつかとそれらに関連する子ノードが前記関連されたノードに固有のＩＤを有することを特徴とするコンテキストを判定するシステム。
【請求項５４】  前記第１コンテキストおよび前記第２コンテキストが位置コンテキストを具備することを特徴とする請求項５３に記載のシステム。
【請求項５５】  前記第１階層ツリー構造の前記ノードが地球の地理的区分を具備することを特徴とする請求項５３に記載のシステム。
【請求項５６】  前記少なくとも１つの第２階層ツリー構造の前記ノードが物理的および／または論理的エンティティを備えることを特徴とする請求項５５に記載のシステム。
【請求項５７】  前記第１階層ツリー構造および前記少なくとも１つの第２階層ツリー構造が複数の属性を具備し、その１つは前記ノードが関連されるツリーに関係する情報を含むことを特徴とする請求項５３に記載のシステム。
【請求項５８】  前記情報は、ユニバーサルリソースロケータ（ＵＲＬ）を含むことを特徴とする請求項５７に記載のシステム。
【請求項５９】  前記少なくとも１つの第２階層ツリー構造の前記ノードの１つまたは複数と関連付けられた１つまたは複数の商品またはサービスをさらに備えることを特徴とする請求項５３に記載のシステム。
【請求項６０】  前記第１階層ツリー構造は、標準化された地球のビューを具備し、前記少なくとも１つの第２階層ツリー構造は、地球の少なくとも一部の組織固有のビューを具備し、前記組織固有のビューは、地球の特定部分にリンクする物理的／論理的エンティティを含むことを特徴とする請求項５３に記載のシステム。
【請求項６１】  前記組織固有のビューは、組織の外部のコンテキストを有さないことを特徴とする請求項６０に記載のシステム。
【請求項６２】  前記コンピュータ可読媒体は、モバイルコンピュータデバイス上で具体化されることを特徴とする請求項５３に記載のシステム。
【請求項６３】  前記コンピュータ可読媒体は、デスクトップデバイスで具体化されることを特徴とする請求項５３に記載のシステム。
【請求項６４】  前記コンピュータ可読媒体は、ハンドヘルド型のモバイルコンピュータデバイスで具体化されることを特徴とする請求項５３に記載のシステム。
【請求項６５】  前記コンピュータ可読媒体は、インターネットを介してコンピュータデバイスにアクセス可能であることを特徴とする請求項５３に記載のシステム。
【請求項６６】  コンピュータデバイスにより実行されると前記コンピュータデバイスに以下に記載の方法を実施させるコンピュータ可読命令を有することを特徴とする１つまたは複数のコンピュータ可読媒体であって、
第１階層ツリー構造および第２階層ツリー構造にアクセスする段階であって、それぞれのツリー構造が複数のノードを有し、前記第１階層ツリー構造の前記ノードが第１位置コンテキストと関連付けられ、前記第２階層ツリー構造の前記ノードが第２位置コンテキストと関連付けられ、前記第２階層ツリー構造の少なくとも１つのノードが前記第１階層ツリー構造のノードにリンクされる段階と、
位置コンテキストを得るために、それぞれのツリー構造の少なくとも１つのノードをトラバースする段階であって、前記第２階層ツリー構造のルートノードに通じるトラバース経路中の少なくとも１つのノードは、前記第１階層ツリー構造のノードとリンクされ、個別のノードが商品またはサービスに割り当てられることを可能とするその属性により基礎として提供できる固有のＩＤを有し、前記複数のノードが親ノードと子ノードを含み、前記親ノードの少なくともいくつかとそれらに関連する子ノードが前記関連されたノードに固有のＩＤを有する段階と
を備えることを特徴とする１つまたは複数のコンピュータ可読媒体。
【請求項６７】  前記コンピュータデバイスはその位置コンテキストを自動的に判定することを特徴とする請求項６６に記載の１つまたは複数のコンピュータ可読媒体。
【請求項６８】  前記コンピュータデバイスは、ハンドヘルド型のコンピュータデバイスであることを特徴とする請求項６６に記載の１つまたは複数のコンピュータ可読媒体。
【請求項６９】  前記コンピュータデバイスは、モバイルコンピュータデバイスであることを特徴とする請求項６６に記載の１つまたは複数のコンピュータ可読媒体。
【請求項７０】  前記コンピュータデバイスは、デスクトップデバイスであることを特徴とする請求項６６に記載の１つまたは複数のコンピュータ可読媒体。
【請求項７１】  前記コンピュータデバイスは、その位置コンテキストを自動的に判定するハンドヘルド型のコンピュータデバイスであることを特徴とする請求項６６に記載の１つまたは複数のコンピュータ可読媒体。
【請求項７２】  コンピュータ認識型のデータ構造を構築する、コンピュータにより実施される方法であって、
物理的および／または論理的エンティティに関連する情報を指定するソースから入力を受信する段階と、
コンテキストを有する階層ツリー構造を定義するために前記情報を処理する段階であって、前記ツリー構造は、それぞれが個別の物理的または論理的エンティティを表す複数のノードを含み、前記複数のノードが親ノードと子ノードを含み、前記親ノードの少なくともいくつかとそれらに関連する子ノードが前記関連されたノードに固有のＩＤを有することを特徴とする段階と、
コンテキストと、物理的および／または論理的エンティティを表す複数のノードとを有する別のツリー構造のノードに、前記複数ノードの少なくとも１つをリンクする段階であって、個別のノードが商品またはサービスに割り当てられることを可能とするその属性により基礎として提供できる固有のＩＤを有する段階とを備え、
前記ツリー構造は、前記ノードの１つまたは複数からコンテキストを得ることを可能にするような方式でトラバースするために構成されることを特徴とするコンピュータにより実施される方法。
【請求項７３】  前記得られたコンテキストは、位置コンテキストを備えることを特徴とする請求項７２に記載のコンピュータにより実施される方法。
【請求項７４】  コンピュータデバイスにより実行されると前記コンピュータデバイスに請求項７２に記載の方法を実施させるコンピュータ可読命令を有することを特徴とする１つまたは複数のコンピュータ可読媒体。
【請求項７５】  コンテキストを判定するシステムであって、
１つまたは複数のコンピュータ可読媒体と、
第１コンテキストと関連付けられた複数のノードを有する第１階層ツリー構造であって、前記第１階層ツリー構造が前記１つまたは複数のコンピュータ可読媒体に存在する前記第１階層ツリー構造と、
第２コンテキストと関連付けられた複数のノードを有する少なくとも１つの第２階層ツリー構造であって、前記第２階層ツリー構造が前記１つまたは複数のコンピュータ可読媒体に存在する前記第２階層ツリー構造と、
前記第１コンテキストおよび前記第２コンテキストから完全なコンテキストが得られるように構成されるリンクにより前記第１階層ツリー構造上の１つのノードにリンクされる前記少なくとも１つの階層ツリー構造からの少なくとも１つのノードであって、個別のノードが商品またはサービスに割り当てられることを可能とするその属性により基礎として提供できる固有のＩＤを有することを特徴とする前記ノードとを備え、
前記複数のノードが親ノードと子ノードを含み、前記親ノードの少なくともいくつかとそれらに関連する子ノードが前記関連されたノードに固有のＩＤを有し、
前記第１階層ツリー構造の前記ノードが地球の地理的区分を具備し、
前記第１階層ツリー構造および前記少なくとも１つの第２階層ツリー構造が複数の属性を具備し、その１つは前記ノードが関連されるツリーに関係する情報を含むことを特徴とするコンテキストを判定するシステム。